(57)【要約】【課題】本発明は、壁取り付けにも卓上自立にも対応できる電子機器収納用筐体を提供すること目的としている。【解決手段】電気機器を載置するベース２と、ベース２の前面を被覆すると共に表示器６を取り付けるカバー３とから成る本体４と、固定穴１０を有し支持部９を形成した取り付け部材５とで構成し、ベース２とカバー３との突き合せ部近傍に溝７を形成し、溝７に取り付け部材５を勘合させ、取り付け部材５が溝７上を移動可能であり、本体４は取り付け部材５の固定穴１０を用いて屋内壁面に固定可能であると共に、取り付け部材５を回転させて本体４を支持可能であり、本体４を同じ部材で設置方法が変更できることを特徴とする。【選択図】図１
2007258329.tif 000002
【特許請求の範囲】
【請求項１】
各種電気機器を収納し、前面に表示装置を配置する電子機器収納用筐体において、該電子機器収納用筐体は、前記電気機器を載置するベースと、該ベースの前面を被覆すると共に前記表示機器を取り付けるカバーとから成る本体と、固定穴を有し支持部を形成した取り付け部材とで構成し、前記ベースと前記カバーとの突き合せ部近傍に溝を形成し、該溝に前記取り付け部材を勘合させ、前記取り付け部材が前記溝上を移動可能であり、前記本体は前記取り付け部材の前記固定穴を用いて屋内壁面に固定可能であると共に、前記取り付け部材を回転させて前記本体を支持可能であり、前記本体を同じ部材で設置方法が変更できることを特徴とする電子機器収納用筐体。
【発明の詳細な説明】
【技術分野】
【０００１】
本発明は、各種電気機器を収納し、前面に表示装置を配置する電子機器収納用筐体において、電子機器収納用筐体に関するものである。
【背景技術】
【０００２】
表示装置を一般家庭に設置する場合、屋内壁にねじ取り付けしたり、食卓等の上に自立させたりする方法がある。その際、表示装置を有する本体は卓上に自立させて設置する構造とし、壁に設置する際には、固定穴当を設けた壁取り付け用の部材を専用に製作していた。
【０００３】
また、壁取り付けの場合にも、卓上設置の場合にも共用できる部材を本体に取り付け、用いていた。
【非特許文献１】２００５カワムラ総合カタログ電設資材編  平成１７年５月１日発行
【発明の開示】
【発明が解決しようとする課題】
【０００４】
使用者が壁取り付けにするか卓上に自立させるか決定するため、部材はどの製品にも付属して出荷する。壁取り付けの際に、専用の部材を本体に取り付けて取り付けるが、卓上に自立させる場合には、部材が不要となり、不経済であった。
【０００５】
また、壁取り付けの場合も卓上に自立させる場合も同じ部材を用いる方法では、壁に取り付けるか卓上に自立させるかで部材の取り付け方法が異なり、取り付け作業に手間が掛かっていた。また、取り付け部材が、本体とは別部品であるため、部品管理が煩雑になっていた。また、部品を紛失する虞があった。
【課題を解決するための手段】
【０００６】
そこで本発明は、壁取り付けにも卓上自立にも対応できる電子機器収納用筐体を提供すること目的とし、その構造は、電気機器を載置するベースと、ベースの前面を被覆すると共に表示機器を取り付けるカバーとから成る本体と、固定穴を有し支持部を形成した取り付け部材とで構成し、ベースとカバーとの突き合せ部近傍に溝を形成し、溝に取り付け部材を勘合させ、取り付け部材が溝上を移動可能であり、本体は取り付け部材の固定穴を用いて屋内壁面に固定可能であると共に、取り付け部材を回転させて本体を支持可能であり、本体を同じ部材で設置方法が変更できることを特徴とする。
【発明の効果】
【０００７】
本発明に係る電子機器収納用筐体は、電気機器を載置するベースと、ベースの前面を被覆すると共に表示機器を取り付けるカバーとから成る本体と、取り付け穴を有し支持部を形成した取り付け部材とで構成し、ベースとカバーとの突き合せ部近傍に溝を形成し、溝に取り付け部材を勘合させ、取り付け部材が溝上を移動可能であり、本体は取り付け部材の取り付け穴を用いて屋内壁面に固定可能であると共に、取り付け部材を回転させて本体を支持可能であり、本体を同じ部材で設置方法が変更できるため、設置作業が簡単である。また、取り付け部材が本体に組み込まれているので、紛失の虞がない。
【発明を実施するための最良の形態】
【０００８】
本発明は、壁に取り付ける場合も卓上で自立させる場合にも共用できる構造の電子機器収納用筐体を提供するという目的を、最小の部品点数で、設置作業の手間を増やさずに実現した。
【実施例１】
【０００９】
本発明に係る電子機器収納用筐体の実施例を図１〜図４の添付図面に基づいて説明する。
【００１０】
電子機器収納用筐体１はベース２とカバー３とで構成される本体４と、本体４に取り付けられる取り付け部材５から成る。ベース２には電子機器を載置固定し、前面をカバー３で施蓋する。カバー３には表示器６が取り付けられ、例えば電子機器により計測された住宅の使用電力量等を表示器６に表示することができる。
【００１１】
ベース２とカバー３の突き合せた部分に溝７が形成されるように、ベース２とカバー３との端部それぞれにくぼみを形成する。ベース２とカバー３のくぼみが合わさって形成された溝７に、取り付け部材５を嵌め込み、電子機器収納用筐体１を構成する。取り付け部材５は、固定部８と支持部９とが形成される。固定部８は住宅の壁面等取り付け面に接する部分で、固定穴１０を設けている。支持部９は、固定部８の両端を立ち上げて形成され、本体４に取り付けられる部分である。また、本体４側面には取り付け部材７が嵌合可能な凹部１１を形成する。
【００１２】
本体４を屋内壁面に取り付ける場合、支持部９を本体４に対して下方に、溝７に沿って移動させ、だるま型の固定穴１０に固定ねじ１２を挿通し、壁面に支持部９を固定したあと、本体４を下方へ移動させ固定する。
【実施例２】
【００１３】
また、本発明に係る電子機器収納用筐体１は卓上に設置することもできる。ベース２とカバー３の接合により形成される溝７の上端部は溝幅を大きくして回転部１３を形成する。回転部１３で支持部９は回転可能であり、また、本体４に設けられた凹部１１の端部に支持部９が係止し、本体４の表示器６の表示面が傾斜し目視しやすい角度で保持できる。
【産業上の利用可能性】
【００１４】
壁面取り付けにも卓上設置にも対応できる取り付け部材が本体に取り付けられていて、どちらの場合でも簡単な作業で設置でき、取り付け方法を自由に選択することができる。
【図面の簡単な説明】
【００１５】
【図１】本発明に係る電子機器収納用筐体の実施例を示す説明図である。（実施例１）
【図２】本発明に係る電子機器収納用筐体の実施例を示す側面図である。（実施例１）
【図３】本発明に係る電子機器収納用筐体の実施例を示す説明図である。（実施例２）
【図４】本発明に係る電子機器収納用筐体の実施例を示す側面図である。（実施例２）
【符号の説明】
【００１６】
１    電子機器収納用筐体
２    ベース
３    カバー
４    本体
５    取り付け部材
６    表示器
７    溝
８    固定部
９    支持部
１０  固定穴
１１  凹部
１２  固定ねじ
１３  回転部
【図１】
2007258329.tif 000003
【図２】
2007258329.tif 000004
【図３】
2007258329.tif 000005
【図４】
2007258329.tif 000006